(57)【特許請求の範囲】
【請求項１】
アクセスポイントによって使用される無線アクセス技術をインジケートするための方法であって、前記方法は、
前記アクセスポイントによって、第一無線アクセス技術を使用してアクセスネットワークとネットワークコネクションを確立することと、
前記アクセスポイントによって提供されるローカルエリアネットワークの利用可能性を示すローカルネットワークアドバタイズメントメッセージを送信することと、
前記アクセスポイントによって、第二無線アクセス技術を使用して、前記ローカルエリアネットワークを経由して、前記アクセスネットワークへのコネクションを提供することと、
前記第一無線アクセス技術と前記第二無線アクセス技術が異なるタイプの無線アクセス技術であると判定されたことに応じて、前記ネットワークコネクションのために前記アクセスポイントによって使用される前記第一無線アクセス技術のインジケーションをデバイスに送信することと、を有する方法。
【請求項２】
請求項１に記載の方法であって、さらに、前記第二無線アクセス技術を使用して前記ローカルネットワークアドバタイズメントメッセージを送信することを有する、方法。
【請求項３】
請求項１または２に記載の方法であって、前記ネットワークコネクションのために使用される前記第一無線アクセス技術の前記インジケーションは、前記ローカルエリアネットワークを介して、前記アクセスポイントによって送信される、方法。
【請求項４】
請求項１ないし３のいずれか一項に記載の方法であって、さらに、前記ローカルエリアネットワークを介して前記デバイスからローカルコネクションリクエストを受信することを有する、方法。
【請求項５】
請求項４に記載の方法であって、前記ネットワークコネクションのために使用される前記第一無線アクセス技術の前記インジケーションは、前記デバイスに対して、前記ローカルエリアネットワークを介して、前記アクセスポイントによって送信される、方法。
【請求項６】
請求項１ないし５のいずれか一項に記載の方法であって、前記ローカルネットワークアドバタイズメントメッセージを送信することは、ルーターアドバタイズメントメッセージを送信することを含む、方法。
【請求項７】
請求項１ないし６のいずれか一項に記載の方法であって、前記ネットワークコネクションのために使用される前記第一無線アクセス技術の前記インジケーションは、前記ローカルネットワークアドバタイズメントメッセージ内に含まれている、方法。
【請求項８】
請求項１ないし７のいずれか一項に記載の方法であって、前記ローカルネットワークアドバタイズメントメッセージを送信することは、前記ローカルエリアネットワークと関連付けられたネットワーク情報制御メッセージを送信することを含む、方法。
【請求項９】
請求項８に記載の方法であって、前記ネットワークコネクションのために使用される前記第一無線アクセス技術の前記インジケーションは、前記ネットワーク情報制御メッセージ内に含まれている、方法。
【請求項１０】
プロセッサとメモリとを有する回路を含むアクセスポイントデバイスであって、前記メモリは前記プロセッサによって実行可能なインストラクションを有し、これにより前記アクセスポイントデバイスは、
第一無線アクセス技術を使用してアクセスネットワークとネットワークコネクションを確立し、
前記アクセスポイントデバイスによって提供されるローカルエリアネットワークの利用可能性を示すローカルネットワークアドバタイズメントメッセージを送信し、
前記アクセスポイントデバイスによって、前記ローカルエリアネットワークを経由し、第二無線アクセス技術を使用して、前記アクセスネットワークへのコネクションを提供し、
前記第一無線アクセス技術と前記第二無線アクセス技術が異なるタイプの無線アクセス技術であると判定されたことに応じて、前記ネットワークコネクションのために前記アクセスポイントデバイスによって使用される前記第一無線アクセス技術のインジケーションをデバイスに送信するように動作し、アクセスポイントデバイス。
【請求項１１】
請求項１０に記載のアクセスポイントデバイスであって、さらに、前記第二無線アクセス技術を使用して前記ローカルネットワークアドバタイズメントメッセージを送信するように動作する、アクセスポイントデバイス。
【請求項１２】
請求項１０または１１に記載のアクセスポイントデバイスであって、前記ネットワークコネクションのために使用される前記第一無線アクセス技術の前記インジケーションは、前記ローカルエリアネットワークを介して送信される、アクセスポイントデバイス。
【請求項１３】
請求項１０ないし１２のいずれか一項に記載のアクセスポイントデバイスであって、さらに、前記ローカルエリアネットワークを介して前記デバイスからローカルコネクションリクエストを受信するように動作する、アクセスポイントデバイス。
【請求項１４】
請求項１３に記載のアクセスポイントデバイスであって、前記ネットワークコネクションのために使用される前記第一無線アクセス技術の前記インジケーションは、前記デバイスに対して、前記ローカルエリアネットワークを介して、前記アクセスポイントデバイスによって送信される、アクセスポイントデバイス。
【請求項１５】
請求項１０ないし１４のいずれか一項に記載のアクセスポイントデバイスであって、前記ローカルネットワークアドバタイズメントメッセージを送信することは、ルーターアドバタイズメントメッセージを送信することを含む、アクセスポイントデバイス。
【請求項１６】
請求項１０ないし１５のいずれか一項に記載のアクセスポイントデバイスであって、前記ネットワークコネクションのために使用される前記第一無線アクセス技術の前記インジケーションは、前記ローカルネットワークアドバタイズメントメッセージに含まれている、アクセスポイントデバイス。
【請求項１７】
請求項１０ないし１６のいずれか一項に記載のアクセスポイントデバイスであって、前記ローカルネットワークアドバタイズメントメッセージを送信することは、前記ローカルエリアネットワークと関連付けられたネットワーク情報制御メッセージを送信することを含む、アクセスポイントデバイス。
【請求項１８】
請求項１７に記載のアクセスポイントデバイスであって、前記ネットワークコネクションのために使用される前記第一無線アクセス技術の前記インジケーションは、前記ネットワーク情報制御メッセージ内に含まれている、アクセスポイントデバイス。
【請求項１９】
請求項１０ないし１８のいずれか一項に記載のアクセスポイントデバイスであって、前記アクセスポイントデバイスは、自己のネットワークコネクションをシェアすることが可能なユーザ装置である、アクセスポイントデバイス。
【請求項２０】
無線アクセス技術情報を受信するための方法であって、前記方法は、
ネットワークデバイスによって、アクセスポイントから、前記アクセスポイントによって提供されるローカルエリアネットワークの利用可能性を示すローカルネットワークアドバタイズメントメッセージを受信することと、
前記ネットワークデバイスによって、アクセスネットワークへ接続するために前記アクセスポイントにより使用される第一無線アクセス技術のインジケーションを受信することと、
前記ローカルエリアネットワークを経由し、第二無線アクセス技術を使用して、前記アクセスネットワークへのコネクションを確立することと、を有し、前記インジケーションは、前記第一無線アクセス技術と前記第二無線アクセス技術が異なるタイプの無線アクセス技術であると判定されたことに応じて送信されるものである、方法。
【請求項２１】
請求項２０に記載の方法であって、前記アクセスポイントにより使用される前記第一無線アクセス技術の前記インジケーションは、前記受信されローカルネットワークアドバタイズメントメッセージに含まれている、方法。
【請求項２２】
請求項２０または２１に記載の方法であって、前記ローカルネットワークアドバタイズメントメッセージは、前記アクセスポイントによって送信されるネットワーク情報制御メッセージである、方法。
【請求項２３】
請求項２０ないし２２のいずれか一項に記載の方法であって、前記ローカルネットワークアドバタイズメントメッセージは、前記アクセスポイントによって送信されるルーターアドバタイズメントメッセージである、方法。
【請求項２４】
請求項２３に記載の方法であって、前記アクセスポイントにより使用される前記第一無線アクセス技術の前記インジケーションは、前記ルーターアドバタイズメントメッセージにおけるオプションフィールドに含まれる、方法。
【請求項２５】
請求項２０ないし２４のいずれか一項に記載の方法であって、前記ローカルネットワークアドバタイズメントメッセージは、前記第二無線アクセス技術を介して受信される、方法。
【請求項２６】
請求項２５に記載の方法であって、さらに、前記第一無線アクセス技術と前記第二無線アクセス技術は異なるタイプのアクセス技術であることを判定することを有する、方法。
【請求項２７】
請求項２０ないし２６のいずれか一項に記載の方法であって、さらに、前記アクセスポイントによって使用される前記第一無線アクセス技術にしたがって、前記ネットワークデバイスの動作のモードを選択することを有する、方法。
【請求項２８】
請求項２７に記載の方法であって、前記ネットワークデバイスの動作のモードを選択することは、さらに、前記ローカルネットワークアドバタイズメントメッセージに関連付けられている第二無線アクセス技術に少なくとも部分的に基づいている、方法。
【請求項２９】
請求項２７に記載の方法であって、前記動作のモードを選択することは、前記ネットワークデバイスのデータ通信アクティビティを制限することを含む、方法。
【請求項３０】
プロセッサとメモリとを有する回路を含むネットワークデバイスであって、前記メモリは前記プロセッサによって実行可能なインストラクションを有し、これにより前記ネットワークデバイスは、
アクセスポイントから、前記アクセスポイントによって提供されるローカルエリアネットワークの利用可能性を示すローカルネットワークアドバタイズメントメッセージを受信し、
アクセスネットワークへ接続するために前記アクセスポイントにより使用される第一無線アクセス技術のインジケーションを受信し、
前記ローカルエリアネットワークを経由し、第二無線アクセス技術を使用して、前記アクセスネットワークへのコネクションを確立する、ように動作し、前記インジケーションは、前記第一無線アクセス技術と前記第二無線アクセス技術が異なるタイプの無線アクセス技術であると判定されたことに応じて送信されるものである、ネットワークデバイス。
【請求項３１】
請求項３０に記載のネットワークデバイスであって、前記アクセスポイントにより使用される前記第一無線アクセス技術の前記インジケーションは、前記受信されるローカルネットワークアドバタイズメントメッセージに含まれている、ネットワークデバイス。
【請求項３２】
請求項３０または３１に記載のネットワークデバイスであって、前記ローカルネットワークアドバタイズメントメッセージは、前記アクセスポイントによって送信されるネットワーク情報制御メッセージである、ネットワークデバイス。
【請求項３３】
請求項３０ないし３２のいずれか一項に記載のネットワークデバイスであって、前記ローカルネットワークアドバタイズメントメッセージは、前記アクセスポイントによって送信されるルーターアドバタイズメントメッセージである、ネットワークデバイス。
【請求項３４】
請求項３３に記載のネットワークデバイスであって、前記アクセスポイントにより使用される前記第一無線アクセス技術の前記インジケーションは、前記ルーターアドバタイズメントメッセージにおけるオプションフィールドに含まれる、ネットワークデバイス。
【請求項３５】
請求項３０ないし３４のいずれか一項に記載のネットワークデバイスであって、前記ローカルネットワークアドバタイズメントメッセージは、前記第二無線アクセス技術を介して受信される、ネットワークデバイス。
【請求項３６】
請求項３５に記載のネットワークデバイスであって、さらに、前記第一無線アクセス技術と前記第二無線アクセス技術は異なるタイプのアクセス技術であることを判定するように動作する、ネットワークデバイス。
【請求項３７】
請求項３０ないし３６のいずれか一項に記載のネットワークデバイスであって、さらに、前記アクセスポイントによって使用される前記第一無線アクセス技術にしたがって、前記ネットワークデバイスの動作のモードを選択するように動作する、ネットワークデバイス。
【請求項３８】
請求項３７に記載のネットワークデバイスであって、前記ネットワークデバイスの動作のモードを選択することは、さらに、前記ローカルネットワークアドバタイズメントメッセージに関連付けられている第二無線アクセス技術に少なくとも部分的に基づいている、ネットワークデバイス。
【請求項３９】
請求項３７に記載のネットワークデバイスであって、前記動作のモードを選択することは、前記ネットワークデバイスのデータ通信アクティビティを制限することを含む、ネットワークデバイス。
【請求項４０】
アクセスポイントデバイスであって、
第一無線アクセス技術を使用してアクセスネットワークとネットワークコネクションを確立するための上りコネクションモジュールと、
前記アクセスポイントデバイスによって提供されるローカルエリアネットワークの利用可能性を示すローカルネットワークアドバタイズメントメッセージを送信し、前記ネットワークコネクションのために前記アクセスポイントデバイスによって使用される前記第一無線アクセス技術のインジケーションをデバイスに送信し、前記ローカルエリアネットワークを経由し、第二無線アクセス技術を使用して、前記アクセスネットワークへのコネクションを提供するための下りコネクションモジュールと、を有し、前記インジケーションは、前記第一無線アクセス技術と前記第二無線アクセス技術が異なるタイプの無線アクセス技術であると判定されたことに応じて送信されるものである、アクセスポイントデバイス。
【請求項４１】
実行可能なインストラクションを記憶したコンピュータ可読記憶媒体であって、プロセッサによって実行されると、前記プロセッサに、
第一無線アクセス技術を使用してアクセスネットワークとネットワークコネクションを確立させ、
アクセスポイントによって提供されるローカルエリアネットワークの利用可能性を示すローカルネットワークアドバタイズメントメッセージを送信させ、
前記ローカルエリアネットワークを経由し、第二無線アクセス技術を使用して、前記アクセスネットワークへのコネクションを提供させ、
前記第一無線アクセス技術と前記第二無線アクセス技術が異なるタイプの無線アクセス技術であるときに、前記ネットワークコネクションのために前記アクセスポイントによって使用される前記第一無線アクセス技術のインジケーションをデバイスに送信させる、コンピュータ可読記憶媒体。
【請求項４２】
ネットワークデバイスであって、
アクセスポイントからローカルネットワークアドバタイズメントメッセージを受信し、アクセスネットワークと接続するために前記アクセスポイントによって使用される第一無線アクセス技術のインジケーションを受信し、ローカルエリアネットワークを経由し、第二無線アクセス技術を使用して、前記アクセスネットワークへのコネクションを確立するためのネットワークコネクションモジュールと、
前記アクセスポイントによって使用される前記第一無線アクセス技術にしたがって前記ネットワークデバイスの動作のモードを選択するためのオペレーティングモードモジュールと、を有し、前記インジケーションは、前記第一無線アクセス技術と前記第二無線アクセス技術が異なるタイプの無線アクセス技術であると判定されたことに応じて送信されるものである、ネットワークデバイス。
【請求項４３】
実行可能なインストラクションを記憶したコンピュータ可読記憶媒体であって、プロセッサによって実行されると、前記プロセッサに、
アクセスポイントからローカルネットワークアドバタイズメントメッセージを受信させ、
アクセスネットワークへ接続するために前記アクセスポイントにより使用される第一無線アクセス技術のインジケーションを受信させ、
ローカルエリアネットワークを経由し、第二無線アクセス技術を使用して、前記アクセスネットワークへのコネクションを確立させ、
前記アクセスポイントによって使用される前記第一無線アクセス技術にしたがって動作のモードを選択させ、前記インジケーションは、前記第一無線アクセス技術と前記第二無線アクセス技術が異なるタイプの無線アクセス技術であると判定されたことに応じて送信されるものである、コンピュータ可読記憶媒体。
【発明の詳細な説明】
【技術分野】
【０００１】
関連出願への相互参照
本願は、「ネットワークアクセス技術インジケーション」と名付けられ、２０１５年７月６日に先行出願された米国仮特許出願第62/189,024号の優先権の利益を享受するものであり、その内容のすべてはここに引用により含まれている。
【０００２】
本開示は一般にデバイス間で使用されるネットワークアクセス技術に関連した情報を通信するためのシステムおよび方法に関連する。
【背景技術】
【０００３】
今日におけるネットワークデバイスの多くは複数の技術を使用して通信ネットワークにアクセスすることができる。たとえば、モバイルデバイスはロングタームエボリューション（ＬＴＥ）のようなセルラーコネクションおよび／またはＷｉＦｉまたはその他の手段を介したローカルエリアネットワーク（ＬＡＮ）コネクションを確立することができる。
【０００４】
いくつかのデバイスはさらに他のデバイスとネットワークコネクションをシェア（共用）することができ、したがって他のデバイスのためのルーターまたはアクセスポイントとして動作できる。この特徴は一つのデバイス上の単一のインターネットコネクションを、同一のＬＡＮ上の他のデバイス間でシェアすることを可能にしている。いくつかの状況において、アクセスポイントとして動作するデバイスは、ネットワークへのノースバウンド（上りの）コネクションのためにあるタイプのアクセス技術を使用し、サウスバウンド（下りの）コネクションを他のデバイスとシェアするために他のタイプのアクセス技術を使用するだろう。
【０００５】
デバイスは、使用されるアクセス技術に依存しうる、異なるモードの動作、振る舞いまたはアクションを有するように構成されうる。このように、デバイスの能力は動的であり、ネットワークコネクションのタイプに依存しうる。デバイスが複数のアクセス技術で接続できるときにいくつかの問題が発生することがある。
【０００６】
したがって、上記のような問題を未然に防ぐか、または、低減するようなシステムや方法を提供することが望ましいだろう。
【発明の概要】
【０００７】
本発明の目的は従来技術の欠点を取り除くかまたは低減することを目的とする。
本発明の第一観点によれば、アクセスポイントによって使用されるネットワークアクセス技術を示すための方法が提供される。本方法は、アクセスポイントによって、第一アクセス技術を使用してアクセスネットワークとネットワークコネクションを確立することを有する。ローカルネットワークアドバタイズメントが送信される。当該ネットワークコネクションのためにアクセスポイントによって使用される第一アクセス技術のインジケーションが送信される。
【０００８】
本発明の他の観点によれば、プロセッサとメモリとを含む回路を有するアクセスポイントデバイスが提供される。メモリは、プロセッサによって実行可能なインストラクションを有し、これによりアクセスポイントデバイスは、第一アクセス技術を使用してアクセスネットワークとネットワークコネクションを確立するよう動作する。アクセスポイントデバイスは、ローカルネットワークアドバタイズメントを送信し、ネットワークコネクションのためのアクセスポイントによって使用される第一アクセス技術のインジケーションを送信するように動作する。
【０００９】
本発明の他の観点によれば、第一アクセス技術を使用してアクセスネットワークとネットワークコネクションを確立する上りコネクションモジュールと、ローカルネットワークアドバタイズメントを送信し、ネットワークコネクションのためにアクセスポイントによって使用される第一アクセス技術のインジケーションを送信する下りコネクションモジュールとを有するアクセスポイントが提供される。
【００１０】
いくつかの実施形態によれば、ローカルネットワークアドバタイズメントは第二アクセス技術を使用して送信されてもよい。第一アクセス技術と第二アクセス技術は異なるタイプのアクセス技術であってもよい。第一アクセス技術のインジケーションは、第一アクセス技術と第二アクセス技術が異なるタイプのアクセス技術であると判定されたことに応じて送信されてもよい。いくつかの実施形態によれば、ネットワークコネクションのために使用される第一アクセス技術のインジケーションは、ローカルネットワークを介して、アクセスポイントによって送信されてもよい。
【００１１】
いくつかの実施形態によれば、ローカルコネクションリクエストが、ローカルネットワークを介してデバイスから受信されてもよい。ネットワークコネクションのために使用される第一アクセス技術のインジケーションは、ローカルネットワークを介して当該デバイスに、アクセスポイントによって送信されてもよい。
【００１２】
いくつかの実施形態によれば、ローカルネットワークアドバタイズメントを送信することは、ルーターアドバタイズメントメッセージを送信することを含んでもよい。ネットワークコネクションのために使用される第一アクセス技術のインジケーションは、ローカルネットワークアドバタイズメントまたは後続のメッセージに含まれてもよい。
【００１３】
いくつかの実施形態によれば、ローカルネットワークアドバタイズメントを送信することは、当該ローカルネットワークに関連付けられたネットワーク情報制御メッセージを送信することを含んでもよい。ネットワークコネクションのために使用される第一アクセス技術のインジケーションは、ネットワーク情報制御メッセージまたは後続のメッセージに含まれてもよい。
【００１４】
いくつかの実施形態によれば、アクセスポイントデバイスは、そのネットワークコネクションを一つ以上の他のデバイスとシェアすることができるユーザ装置であってもよい。
【００１５】
本発明の他の観点によれば、ネットワークアクセス技術情報を受信する方法が提供される。本方法は、ネットワークデバイスによって、アクセスポイントからローカルネットワークアドバタイズメントを受信することと、ネットワークデバイスによって、アクセスネットワークと接続するためにアクセスポイントによって使用される第一アクセス技術のインジケーションを受信することとを有する。
【００１６】
本発明の他の観点によれば、プロセッサとメモリとを含む回路を有するネットワークデバイスが提供される。当該メモリは、当該プロセッサによって実行可能なインストラクションを有し、これにより、ネットワークデバイスは、アクセスポイントからローカルネットワークアドバタイズメントを受信し、ネットワークデバイスによって、アクセスネットワークと接続するためにアクセスポイントによって使用される第一アクセス技術のインジケーションを受信するように動作する。
【００１７】
本発明の他の観点によれば、ネットワークコネクションモジュールとオペレーティングモードモジュールとを有するネットワークデバイスが提供される。ネットワークコネクションモジュールは、アクセスポイントからローカルネットワークアドバタイズメントを受信し、アクセスネットワークと接続するためにアクセスポイントによって使用される第一アクセス技術のインジケーションを受信するように構成される。オペレーティングモードモジュールは、アクセスポイントによって使用される第一アクセス技術にしたがってネットワークデバイスの動作のモードを選択するように構成される。
【００１８】
いくつかの実施形態によれば、アクセスポイントによって使用される第一アクセス技術のインジケーションは、受信されるローカルネットワークアドバタイズメントに含まれうる。ローカルネットワークアドバタイズメントはアクセスポイントによって送信されるネットワーク情報制御メッセージであってもよい。あるいは、ローカルネットワークアドバタイズメントはアクセスポイントによって送信されるルーターアドバタイズメントメッセージであってもよい。アクセスポイントによって使用される第一アクセス技術のインジケーションは、ルーターアドバタイズメントメッセージ内のオプションフィールドに搭載されていてもよい。
【００１９】
いくつかの実施形態によれば、ローカルネットワークアドバタイズメントは第二アクセス技術を使用して受信されてもよい。ネットワークデバイスは、オプションとして、第一アクセス技術と第二アクセス技術が異なるタイプのアクセス技術であることを判定してもよい。
【００２０】
いくつかの実施形態によれば、ネットワークデバイスは、アクセスポイントによって使用される第一アクセス技術にしたがってネットワークデバイスの動作のモードを選択してもよい。ネットワークデバイスの動作のモードを選択することは、さらに、ローカルネットワークアドバタイズメントに関連付けられている第二ネットワークアクセス技術に少なくとも基づいていてもよい。動作のモードを選択することは、ネットワークデバイスのデータ通信のアクティビティを制限することを含んでもよい。
【００２１】
ここに記載された様々な観点と実施形態は代替的に、オプション的におよび／または追加的に相互に組み合わされてもよい。
【００２２】
本発明の特徴の他の観点は、以下における本発明の特定の実施形態を添付図面と関連しながらレビューすることで、当技術分野における当業者には明らかになろう。
【図面の簡単な説明】
【００２３】
ここで本発明の実施形態が添付図面を参照しながら例示としてだけ説明される。
【図１】通信ネットワークの例を示す図。
【図２】アップリンクアクセス技術（ＵＡＴ）オプションレイアウトを示す図。
【図３】ＵＡＴフィールドのための値の例示的なセットを示す図。
【図４ａ】アクセス技術情報を通信するための方法を示すフローチャート。
【図４ｂ】アクセス技術情報を通信するための方法を示すフローチャート。
【図５】アクセス技術情報を受信するための方法を示すフローチャート。
【図６】通信デバイスのブロック図。
【図７】アクセスポイントデバイスのブロック図。
【図８】ユーザ装置のブロック図。
【発明を実施するための形態】
【００２４】
添付の図面にしたがってナンバー付けされた、特定の要素に参照がなされている。以下での議論は本質的に例示であるものと理解されるべきであり、本発明の範囲を限定するものとして理解されてはならない。本発明の範囲は特許請求の範囲において規定されており、以下で詳細に説明される実装によって限定されるとは解釈されるべきではなく、当業者であれば理解できるように、これらは均等な機能要素によって置換することによって修正が可能である。
【００２５】
本開示の実施形態は、ネットワークアクセスポイントとそれらに接続されたデバイスとの間でアクセス技術情報をシェアするためのメカニズムに向けられている。接続されるデバイスはそのネットワークコネクションのためにそのアクセスポイントによって使用されるアクセス技術のタイプにしたがって動作できる。
【００２６】
例示的なインターネットプロトコルバーション６（ＩＰｖ６）ネットワークにおいて、ルーターアドバタイズメントは、アタッチされたノードに対して共通の設定情報を提供するために使用可能である。ルーターにとって、そのアップリンクネットワークアクセス技術情報を提供することができ、および／または、アタッチされたノードにとってルーターによって使用されるアクセス技術の知識を取得することができることは、有利であろう。本開示の実施形態は、ルーターにこの情報をシェアすることを可能にする隣接ディスカバリーオプションを提供する。
【００２７】
ＩＰｖ６および他のネットワークにおいて、ルーターによってそれらのアップリンク（たとえば、インターネットのようなアクセスネットワークへのコネクション）上で使用されるアクセス技術は、それらのダウンリンク（たとえば、ルーターによって提供されるローカルネットワーク）上で使用されるアクセス技術とは異なることがある。ルーターにとって、それらのアップリンクアクセス技術情報を、ダウンリンク上でアタッチされたホストへ提供することが有利となりうる、いくつかのシナリオが存在する。そのような例示の一つは、ＬＴＥのようなセルラーネットワークコネクションを使用する移動電話機がそのインターネットコネクションを、有線コネクションまたはＷｉＦｉネットワークリンクなどのローカルコネクションを介して接続した他のデバイスとシェア（共有）する、「テザリング」である。この場合、たとえデバイスがＷｉＦｉを介して接続していたとしても、当該デバイスは、アクセスポイントとして動作している移動電話機の実際のネットワークコネクションがセルラーリンクであることを知ることは利点があるであろう。ホストデバイスはこの知識に基づいて自己の行動を潜在的に修正可能である。たとえば、ネットワークコネクションに依存したアプリケーションおよびソフトウエアのアップデート（および類似のバルク転送）は、管理設定に基づいてリスケジュールされてもよい。
【００２８】
当該技術分野における当業者であれば、用語「アップリンク」および「ダウンリンク」はここではルーター／アクセスポイントに関連付けられた二つの明確に異なるコネクションを区別するために使用されていることを理解するだろう。第一コネクションはアクセスネットワークに対するルーターの「アップリンク」ネットワークコネクションであり、これは一般に上りコネクションと呼ばれる。第二コネクションはルーターによって提供される「ダウンリンク」ローカルネットワークコネクションであり、これは一般に下りコネクションと呼ばれる。アップリンク／ダウンリンクに対するいずれの参照も、アクセスネットワークに対するルーターのコネクションの「アップ」と、いずれかの接続されたデバイスへの「ダウン」とに対応しており、データの流れを特定することを意図したものではない。このコンテキストにおいて、ルーターのアップリンクおよびダウンリンクのコネクションの両方ともが双方向のトラフィックを搬送可能であることは理解されるべきである。
【００２９】
当業者であれば、このコンテキストにおいて、上りインターフェースはアクセスポイントにアクセスネットワークとの通信を可能にするインターフェースを指していることを理解するであろう。一方、下りインターフェースはアクセスポイントに、アタッチされたデバイスとの通信を可能にするものである。
【００３０】
図１は例示的な通信ネットワークのアーキテクチャー示している。例示的なネットワーク１００は通信事業者ネットワークのようなプライベートネットワークまたはインターネットのようなパブリックネットワークでありうる。ルーターまたはアクセスポイント１２０は上りネットワークコネクション１１０を介してネットワーク１００に接続している。ルーターデバイス１２０および／またはネットワーク１００および／または他のファクターに依存して、複数のタイプのアクセス技術がネットワークコネクション１１０を確立するために使用可能である。一つの例示的な実施形態によれば、ルーター１２０は、ネットワーク１００とのＬＴＥセルラーコネクション１１０を（例：ｅＮｏｄｅＢのような基地局を介して）確立する第一ユーザ装置（ＵＥ）であってもよい。
【００３１】
第一ＵＥ１２０は、他のデバイス（他のラップトップ、移動電話機、タブレット、その他など）とネットワークコネクションをテザリングまたはシェアする能力を有しうる。他のデバイスへの第一ＵＥ１２０の下りのローカルコネクションは、無線ＬＡＮ（例：ＷｉＦｉ）を介して、ブルートゥースを介して、ケーブル（たとえば、ユニバーサルシリアルバス（ＵＳＢ）を通じた）を使用した物理接続によって、または他のいずれかの手段によって、確立可能である。ＷｉＦｉを介してテザリングが実行される場合、本特徴は一般にモバイルホットスポットで呼ばれる。したがって、ネットワークに接続された第一ＵＥ１２０は、それに接続しているデバイスのためのポータブルのアクセスポイントおよびルーターとして動作する。
【００３２】
図１によれば、第二ＵＥ１４０は、ルーターの下りローカルコネクション１３０を経由してルーターデバイス１２０と接続するものとして図示されている。上述したように、ローカルネットワークコネクション１３０はＷｉＦｉコネクションであってもよい。この例示的な実施形態によれば、ルーター１２０の上り（ネットワーク）コネクション１１０および下り（ローカル）コネクション１３０は異なるタイプのアクセス技術を使用する。第二ＵＥ１４０の観点から、それはＷｉＦｉを介してネットワーク接続されている。従来であれば、第二ＵＥ１４０はそのアクセスポイント１２０のＬＴＥコネクション１１０を経由して最終的にはアクセスネットワーク１００へと接続するための知識を有していない。本開示の実施形態は、第二ＵＥ１４０のように、接続しているいずれかのデバイスに対して、アクセスポイント１２０が、使用しているネットワークアクセス技術（例：ＬＴＥ）を通信するためのメカニズムを提供する。
【００３３】
第二ＵＥ１４０はそのコネクションのタイプに依存して異なるモードで動作するように構成されてもよい。たとえば、ＵＥ１４０は、そのコネクションのタイプがＷｉＦｉであるときに、第一モードで動作するように構成されてもよい。このオペレーション（動作）の第一モードにおいて、ＵＥ１４０は、情報をダウンロードおよび／またはアップロードすることに関連したいくつかの機能を自動的に実行してもよい。たとえば、ＵＥ１４０は、ＷｉＦｉを経由して接続しているときはいつでも、ソフトウエアまたはアプリケーションに対するアップデートを自動的にダウンロードするように構成されてもよい。ＵＥ１４０は、ＷｉＦｉ経由で接続しているときに写真、および／または、動画をネットワークストレージへと自動的にアップロードするように構成されてもよい。
【００３４】
ＵＥ１４０は、さらに、そのコネクションのタイプがセルラー（例：ＬＴＥ，４Ｇ，３Ｇ，ＣＤＭＡ，その他）であるときに、第二モードで動作するように構成されてもよい。この第二モードのオペレーションにおいて、ＵＥ１４０は、セルラーを介して接続されている間は、ダウンロード機能とアップロード機能とを一時中断するように構成されてもよい。代替的に、ＵＥ１４０は、ＷｉＦｉで接続されている間は自動的にタスクを開始するのとは反対に、セルラーを介して接続されている間はダウンロードタスクまたはアップロードタスクを実行することの確認をユーザに促すように構成されてもよい。
【００３５】
従来どおりに、ＵＥ１４０は、そのコネクション１３０に基づいて異なるモードのオペレーションを選択できてもよい。しかし、図１のテザリングの例示に記述されているように、ルーターデバイス１２０のネットワークコネクション１１０は、ＵＥ１４０のオペレーションのモードを決定する際のより重要なファクターであってもよい。ルーター１２０は、ＵＥ１４０への上りのネットワークアクセス技術のインジケーションを含むメッセージを送信するように構成されていてもよい。ＵＥ１４０は、そのような通信を受信し、アクセスポイント１２０によって使用されるネットワークアクセス技術にしたがって自己の動作を変更するように構成されてもよい（例：そのローカルコネクション１３０のアクセス技術のタイプを使用することとは反対にまたはそれと組み合わせて）。
【００３６】
当業者であれば、複数のメッセージタイプやフォーマットはこの情報をルーターとそれらに接続されたデバイスとの間で通信するために使用されてもよいことを理解しよう。ダイナミックホストコンフィギュレーションプロトコルバージョン６（ＤＨＣＰｖ６）のようなプロトコルが、同様に、この情報を搬送するために使用されてもよい。ここで記述された実施形態は非限定の図解のための例示として提供されている。
【００３７】
当業者は、Institute of Electrical and Electronics Engineers (IEEE) 802.11に記述されている無線ローカルエリアネットワーク（ＷＡＬＮ）のような、汎用のネットワーキングシナリオにおいて、デバイスは、アクセスポイントを通じてトラフィックを送信する前に、認証および関連付けられた状態にならなければならないことを理解しよう。デバイスは、その近隣においてネットワークを探索するためにプローブメッセージを送信してもよいし、および／または、アクセスポイントは、ネットワークアドバタイズメントメッセージを送信してもよい（例：周期的にサービスセット識別情報（ＳＳＩＤ）ビーコンを送信するなど）。一連の設定または管理メッセージは、アクセスポイントとデバイスとの間でレイヤー２のコネクティビティを確立するために交換されてもよい。いくつかの実施形態において、これらのコネクション確立メッセージの一つ以上は、アクセスポイントによって、そのアップリンク／上りネットワークアクセス技術をデバイスへアドバタイズするために使用されてもよい。
【００３８】
いくつかの実施形態によれば、ＩＰｖ６近隣探索オプション（Internet Engineering Task Force (IETF) Request for Comments (RFC) 4861において記述されているものなど）は、アクセスポイントとデバイスとの間のコネクティビティが確立した後で、アクセスポイントが、ルーターアドバタイズメントメッセージ内でアップリンク／上りネットワークアクセス技術をアドバタイズするために、使用されてもよい。
【００３９】
同一リンク上のＩＰｖ６ノード（ホストおよびルーター）は、それぞれノードのプレゼンス（存在）を探索し、お互いのリンクレイヤーアドレスを決定し、アクティブな近隣ノードへのパスについてのリーチアビリティ（到達能力）情報を維持するために、近隣探索プロトコルを使用する。ホストは、また、近隣探索を使用して、代わりにパケットを転送できる近隣ルーターを発見する。近隣探索プロトコルは、ルーターソリシテーション（要請）、ルーターアドバタイズメント（広告）、近隣ソリシテーション、近隣アドバタイズメント、および、ネットワークリダイレクトの目的のためにパケットタイプを定義する。ルーターは、自己のプレゼンスとともに、様々なリンクやインターネットパラメータを、周期的に、または、ルーターソリシテーションメッセージに応じて、ルーターアドバタイズメントメッセージによって、アドバタイズしてもよい。ホストは、アタッチされているリンク上に存在しているルーターを探索／発見する。
【００４０】
ルーターは、自己のアベイラビリティ（有用性）をアナウンスするルーターアドバタイズメントパケットを周期的にブロードキャストする。ホストは、すべてのルーターからのルーターアドバタイズメントを受信して、デフォルトルーターのリストを構築する。ホストが素早くルーターのプレゼンスを十分に学習できる頻度で、かつ、ルーターの故障を検出するためにアドバタイズメントの不存在に依拠するほど頻繁ではなく、ルーターは、ルーターアドバタイズメントを生成してもよい。ルーターアドバタイズメントは、ルーターへのコネクション（例：パケットを送信できるように）を確立するためにホストによって使用されるいくつかのパラメータを含んでもよい。ルーターアドバタイズメントは、ルーターのリンクレイヤーアドレスを解決するために追加のパケットの交換が必要とはならないように、リンクレイヤーアドレスを搬送する。
【００４１】
ルーターアドバタイズメントメッセージフォーマットは、ＲＦＣ４８６１によって規定されているいくつかの定義されたフィールド（例：ＩＰソースアドレス、ＩＰデスティネーションアドレス、ルーターライフタイム、リーチ可能時間、再送信時間）を有し、さらに、オプションのフィールドを有している。
【００４２】
図２は、所与のリンクでルーターによってブロードキャストされるルーターアドバタイズメントメッセージを搬送可能な、アップリンクアクセス技術（ＵＡＴ）オプションフィールドレイアウト２００の一例を示している。これは、ルーターが使用しているアップリンクネットワークタイプを特定するために使用されてもよい。この例示的なアップリンクアクセス技術のオプション２００は、タイプフィールド、長さフィールド、および、アップリンクアクセス技術フィールドを有してもよい。
【００４３】
タイプとは、オプションのタイプを示す８ビットの識別情報である。ＵＡＴオプションのためのオプション識別情報はインターネット割り当て番号オーソリティ（ＩＡＮＡ）によって割り当てられてもよい。
【００４４】
長さとは、８ビットの符号なし整数である。オプションの長さ（タイプフィールドと長さフィールドを含む）８オクテットを単位とする。これは１にセットされてもよい。
【００４５】
アップリンクアクセス技術は、このオプションを搬送するルーターアドバタイズメントを送信するルーターによって使用されるアップリンク／上りアクセス技術を特定する１６ビットのフィールドである。
【００４６】
複数のＵＡＴオプションは、異なるアクセス技術を使用して複数のアップリンクネットワークコネクションを使用することをルーターに可能ならしめるために、単一のルーターアドバタイズメントメッセージに追加されてもよい。
【００４７】
図３はＩＡＮＡレジストリに対して新しい値を追加することによって拡張可能なＵＡＴフィールドのための例示的な初期値３００のセットを示している。たとえば、０Ｘ０１はＵＡＴフィールドにおいて３ＧＰＰタイプのアップリンクアクセス技術コネクションを示すために使用される値であってもよく、０ｘ０２はデジタル加入者回線（ＤＳＬ）のためのものであり、０ｘ０３はケーブルのためのものであり、０ｘ０４はイーサネットその他のものであってもよい。当業者であれば、これらの値が非限定の例示のためのものとして提供された値であることを理解し、異なるアクセス技術を識別および区別するために必要とされるように設定可能であることを理解するであろう。
【００４８】
このオプションにおいて提供されたＵＡＴの値は管理的に設定されるか、アップリンクインタフェース上でのアクセス技術から黙示的に導出可能なもののいずれでもよい。ルーターは自己のアップリンクネットワークコネクティビティにしたがってＵＡＴフィールドの値を設定するだろう。
【００４９】
このオプションに提供されたＵＡＴの値はホストにとっては情報的なものである。これはホストがルーターのネットワークコネクションについての追加の情報を収集し、それに応じて異なるアクションを実行することを助けることができる。このオプションフィールドを認識できないレガシーのホストはこれを無視することができる。
【００５０】
当業者であれば、図２および図３が非限定で例示的な実施形態を示していることを理解するであろう。上述のアップリンクアクセス技術情報はアクセスポイントによって様々な異なるメッセージおよび／またはフォーマットにおいてホストデバイスに提供可能である。
【００５１】
図４ａはネットワークアクセス技術情報を通信するための方法を示すフローチャートである。本方法はここで説明されるようにネットワークデバイスによって実行可能であり、当該デバイスは他のデバイスにネットワークコネクションを提供するように動作し、よって、他のデバイスのためのルーターまたはアクセスポイントとして動作する。アクセスポイントデバイスは、第一アクセス技術を使用して、アクセスネットワークとネットワークコネクションを確立する（ブロック４００）。第一アクセス技術は、アクセスネットワークへアクセスポイントが接続するためのコネクション（つまり、セルラー、イーサネット、その他）のタイプを定義する。
【００５２】
アクセスポイントデバイスはローカルネットワークコネクションアドバタイズメントを送信する（ブロック４１０）。いくつかの実施形態によれば、当該アドバタイズメントは第二アクセス技術を使用して送信されてもよい。当該アドバタイズメントは、特定のデバイスに対して送信されてもよいし、代替的に、当該アドバタイズメントは、デバイスを特定しないメッセージとしてブロードキャストされてもよい。たとえば、アドバタイズメントは、ゼロ個以上のデバイスに対してマルチキャストされてもよい。いくつかの実施形態によれば、第一アクセス技術と第二アクセス技術は異なるタイプのアクセス技術であってもよい。
【００５３】
アクセスポイントデバイスは、ネットワークコネクションのために使用される第一アクセス技術のインジケーションを送信する(ブロック４２０)。当該インジケーションはローカルネットワークを介してブロードキャストされてもよい。当該インジケーションはローカルネットワークに接続された少なくとも一つのデバイスに送信されてもよい。いくつかの実施形態によれば、ネットワークコネクションアクセス技術の当該インジケーションは、ローカルコネクションアドバタイズメントメッセージに含まれていてもよい。他の実施形態によれば、これは別の後続のメッセージに含められてもよい。
【００５４】
いくつかの実施形態によれば、送信されたローカルネットワークコネクションアドバタイズメント（ブロック４１０）はネットワーク情報制御メッセージであってもよい。ネットワーク情報制御メッセージは、ＷｉＦｉビーコンのように、ローカルネットワークに関連付けられた設定または管理メッセージであってもよい。オプションとして、第一アクセス技術のインジケーションはそのようなネットワーク情報制御メッセージに含められてもよい。いくつかの実施形態によれば、第一アクセス技術のインジケーションは、後続のメッセージにおいて送信されてもよい。
【００５５】
いくつかの実施形態によれば、送信されたローカルコネクションアドバタイズメント（ブロック４１０）はルーターアドバタイズメントメッセージであってもよい。オプションとして、第一アクセス技術のインジケーションはそのようなルーターアドバタイズメントメッセージに含められてもよい。いくつかの実施形態によれば、オプションのフィールドは、ルーターアドバタイズメントメッセージに追加されてもよく、当該オプションフィールドは、アクセスポイントによりアクセスネットワークに接続するために使用されるアクセス技術のタイプを識別する。
【００５６】
いくつかのオプションの実施形態によれば、第一アクセス技術のインジケーションは、第一アクセス技術（例：アクセスネットワークへのアップリンク／上りコネクションのために使用される）と第二アクセス技術（例：ローカルネットワークへのダウンリンク／下りコネクションのために使用される）とが異なるタイプのアクセス技術であると判定されたことに応答して送信されてもよい。いくつかの実施形態によれば、第一アクセス技術のインジケーションは、アクセスポイントがテザリングされた（有線または無線）ローカルネットワークコネクションをオファー（提供）していると判定されたことに応答して、送信されてもよい。
【００５７】
いくつかの実施形態によれば、ローカルコネクションアドバタイズメント、および／または、第一アクセス技術のインジケーションはアクセスポイントデバイスによって定期的に送信されてもよい。
【００５８】
いくつかの実施形態によれば、アクセスポイントによって使用される複数のネットワークアクセス技術が示されてもよい。
【００５９】
いくつかの実施形態によれば、アクセスポイントとデバイスとの間のコネクションは、コネクションアドバタイズメントメッセージの送信に続いて確立されてもよい（ブロック４１０）。アクセスポイントはデバイスからパケットを受信してもよい。
【００６０】
いくつかの実施形態によれば、第一アクセス技術のインジケーションは、少なくとも一つのデバイスにオペレーションのモードを選択させるために送信されてもよい。デバイスのオペレーションのモードは、アクセスポイントによって使用される第一アクセス技術に少なくとも部分的にしたがって、設定、変更、選択等されるように構成されてもよい。
【００６１】
図４ｂはネットワークアクセス技術情報を通信するための他の方法を示すフローチャートである。本方法はアクセスポイントデバイスによって実行されるものとしてここでは説明される。アクセスポイントデバイスは、第一アクセス技術を使用して、アクセスネットワークとネットワークコネクションを確立する（ブロック４３０）。例示的な実施形態によれば、アクセスポイントは、セルラー（例：ＬＴＥ）コネクションを経由してアクセスネットワークへ接続しうる。
【００６２】
アクセスポイントデバイスはローカルネットワークコネクションアドバタイズメントを送信する（ブロック４４０）。いくつかの実施形態によれば、当該アドバタイズメントは、たとえば、ＷｉＦｉのような、第二アクセス技術を使用して送信されてもよい。いくつかの実施形態によれば、アクセスポイントは、テザリングされたまたはモバイルホットスポットネットワークをアドバタイズしてもよい。いくつかの実施形態によれば、ローカルネットワークアドバタイズメントは一つ以上のデバイスに向けてブロードキャストされてもよい。
【００６３】
アクセスポイントは、第一デバイスからコネクションまたはコネクションリクエストを受信する（ブロック４５０）。当該コネクションは、ローカルネットワークへの第一デバイスのためのアクセスを要求するものであり、ローカルネットワークを介して受信されてもよい。
【００６４】
アクセスポイントは、第一デバイスに対して、アクセスネットワークとのネットワークコネクションのために使用される第一アクセス技術のインジケーションを送信する（ブロック４６０）。いくつかの実施形態によれば、第一アクセス技術の当該インジケーションは、アクセスポイントによってブロードキャストされるローカルネットワークコネクションアドバタイズメントに含まれてもよい。他の実施形態によれば、第一アクセス技術のインジケーションは、少なくとも一つの他のメッセージに含まれてもよい。
【００６５】
図５はネットワークアクセス技術情報を受信するための方法を示すフローチャートである。本方法はネットワークデバイスまたはＵＥによって実行されうる。本方法は、当該デバイスがアクセスポイントからローカルネットワークアドバタイズメントを受信することによって開始される（ブロック５００）。ローカルネットワークアドバタイズメントはコネクションアドバタイズメントメッセージであってもよい。コネクションアドバタイズメントメッセージはローカルネットワークのアベイラビリティ（利用可能性）を示すことができる。いくつかの実施形態によれば、ローカルネットワークアドバタイズメントは、アクセスポイントによって送信されるＷｉＦｉビーコンのような、ネットワーク情報制御メッセージであってもよい。いくつかの実施形態によれば、ローカルネットワークアドバタイズメントはアクセスポイントによって送信されるルーターアドバタイズメントメッセージであってもよい。いくつかの実施形態によれば、ローカルネットワークアドバタイズメントは第一アクセス技術のタイプ（例：ＷｉＦｉ）を使用してブロードキャストされてもよい。
【００６６】
当該デバイスは、アクセスポイントによって使用されるネットワークアクセス技術のインジケーションを受信する（ブロック５１０）。このインジケーションはコネクションアドバタイズメントに含まれて受信されるか、または、他の後続のメッセージに含まれて受信されてもよい。当該デバイスはこのインジケータにしたがってアクセスポイントにより使用されるネットワークアクセス技術を判定できる。いくつかの実施形態によれば、アクセスポイントにより使用されるアクセス技術は第二のアクセス技術タイプ（例：セルラー）であってもよい。
【００６７】
いくつかの実施形態によれば、複数のルーター／アクセスポイントが存在するときに、すべてのルーターによって集約的にアドバタイズされる情報は、単一のコネクションアドバタイズメントに搭載された情報のスーパーセットであってもよい。追加の情報が、ダイナミックホストコンフィギュレーションプロトコル（ＤＨＣＰ）などの他の動的な手段を通じて、デバイスにより取得されてもよい。
【００６８】
いくつかの実施形態によれば、デバイスは、受信したコネクションアドバタイズメント情報をルーターリスト内に記憶してもよい。有効なコネクションアドバタイズメントを受信すると、デバイスは、パケットのソースアドレスを抽出し、必要に応じてそれを処理する。もしこのアドレスが、デバイスが所持しているルーターリスト内にまだ存在していなければ、デバイスは、当該リスト内に新しいエントリーを作成し、インジケートされた（示された）通りにいくつかの必要な値を初期化する。もしこのアドレスが、デバイスが所持しているルーターリスト内にすでに存在していれば（たとえば、過去に受信されたアドバタイズメントの結果として）、デバイスは、新しく受信したアドバタイズメント内のルーターライフタイムへその無効化タイマーをリセットするように、値をリセットしてもよい。もしこのアドレスが、デバイスが所持しているルーターリスト内にすでに存在し、かつ、受信したルーターライフタイム値がゼロであれば、デバイスは、すぐに当該エントリーをタイムアウトしてもよい。いくつかの実施形態によれば、コネクションアドバタイズメントメッセージの固定部分から情報を抽出した後で、当該アドバタイズメントは、有効なオプションフィールドを探すようにスキャンされてもよい。アドバタイズメントがアクセスポイントデバイスによって使用されるアクセス技術またはアクセス技術タイプを示すオプションフィールドを含んでいれば、インジケートされたネットワークアクセス技術はデバイスのルーターリスト内に記憶されてもよい。いくつかの実施形態によれば、アクセス技術情報は、アップリンクアクセス技術（ＵＡＴ）オプションフィールド内に含まれてもよい。
【００６９】
いくつかの実施形態によれば、デバイスは、アクセスポイントによって使用されるネットワークアクセス技術にしたがってオペレーションのモードを選択してもよい（ブロック５２０）。これは、アクセスポイントのネットワークコネクションタイプに基づいてデバイスの振る舞いまたはアクションをセッティングすること、コンフィギュレーションすること、および／または変更することを含む。いくつかの実施形態によれば、これは、デバイスのネットワークアクセス技術を参照するいくつかのポリシーを、代わりに、アクセスポイントのネットワークアクセス技術を使用するように、変更することを含んでもよい。いくつかの実施形態によれば、これは、データのアップロードおよび／またはダウンロードの機能を制限または一時中断することを含んでもよい。これは、アクセスポイントがインジケートされたネットワークアクセス技術を使用している間、デバイスのいずれかのデータ通信アクティビティのサイズおよび／または期間を限定することを含んでもよい。
【００７０】
いくつかの実施形態によれば、オペレーションのモードは、アクセスポイントにより使用されるネットワークアクセス技術、デバイスにより使用されるローカルネットワークアクセス技術、および／または、これらのいずれかの組み合わせに少なくとも部分的に基づいて、選択されてもよい（ブロック５２０）。
【００７１】
いくつかの実施形態によれば、デバイスは、デバイスのアクセス技術とアクセスポイントのネットワークアクセス技術とが異なっていると判定したことに応じて、ユーザに警告および／または促すように構成されてもよい。ユーザは、デバイスのためのアクションのコースを選択するよう（例：オペレーティングモードを選択するよう）促されてもよい。
【００７２】
いくつかの実施形態によれば、アクセスポイントとデバイスとの間のコネクションは、コネクションアドバタイズメントメッセージを受信したことに続いて、確立されてもよい（ブロック５００）。一度コネクションが確立されれば、デバイスは、アクセスポイントとパケットトラフィックを送受信できるようになる。
【００７３】
図６は本発明の実施形態にしたがった例示的なネットワークデバイス６００を示すブロック図である。ネットワークデバイス６００は、ここですでに説明されたように、ルーター、ホスト、アクセスポイント、モバイルデバイスまたはＵＥノードの何れであってもよい。ネットワークデバイス６００は、プロセッサ６０２、メモリまたはインストラクションリポジトリー６０４、および、通信インターフェース６０６を含む回路を有している。通信インターフェース６０６は、少なくとも一つの入力ポートおよび少なくとも一つの出力ポートを有してもよい。ルーター／アクセスポイントとして動作可能であるときに、通信インターフェース６０６は、アクセスネットワーク通信インターフェースとローカルネットワーク通信インターフェースとを有する。メモリ６０４はプロセッサ６０２によって実行可能なインストラクションを含み、これによりネットワークデバイス６００はすでに説明された様々な実施形態を実行するように動作する。いくつかの実施形態によれば、ネットワークデバイス６００は、内在的な物理ハードウエアによってホストされた仮想的なコンポーネントを含んでもよい。ネットワークデバイス６００は、図４ａ、図４ｂおよび図５に図示された方法およびプロシージャのいずれかを実装するように構成されてもよい。
【００７４】
アクセスポイントとして動作可能であるときに、デバイス６００は、第一アクセス技術を使用してアクセスネットワークとネットワークコネクションを確立するように構成される。そして、デバイス６００は、ローカルネットワークアドバタイズメントを送信し、アクセスネットワークへのネットワークコネクションのために使用される第一アクセス技術のインジケーションを送信する。
【００７５】
モバイルデバイスとして動作可能であるときに、デバイス６００は、アクセスポイントからローカルネットワークアドバタイズメントを受信するように構成される。デバイス６００は、また、アクセスネットワークへ接続するためにアクセスポイントにより使用される第一アクセス技術のインジケーションを受信する。いくつかの実施形態によれば、デバイス６００は、アクセスポイントによって使用され、インジケートされた第一アクセス技術にしたがってオペレーションのモードを選択するようにさらに構成される。
【００７６】
図７は本発明の実施形態にしたがった例示的なアクセスポイントデバイス７００を示すブロック図である。アクセスポイントデバイスは、そのネットワークコネクションを一つ以上の他のデバイスとシェアすることができるユーザ装置であってもよい。アクセスポイントデバイスは、上りコネクションモジュール７１０と下りコネクションモジュール７２０とを有してもよい。上りコネクションモジュール７１０は、第一アクセス技術を使用して、アップリンク／上りネットワークコネクションを確立するように構成されてもよい。下りコネクションモジュール７２０は、第二アクセス技術を使用して、少なくとも一つの他のデバイスに対して、ダウンリンク／下りコネクションアドバタイズメントを送信するように構成されてもよい。下りコネクションモジュール７１０は、さらに、少なくとも一つの他のデバイスに対して、上りネットワークコネクションモジュール７１０がアクセスネットワークと接続するために第一アクセス技術を使用していることを示すインジケーションを送信するように構成されてもよい。
【００７７】
図８は本発明の実施形態にしたがった例示的なユーザ装置８００のブロック図である。いくつかの実施形態によれば、ユーザ装置８００は、アクセスポイントデバイスに対してテザリングされてもよい。ユーザ装置８００は、ネットワークコネクションモジュール８１０とオペレーティングモードモジュール８２０とを有してもよい。ネットワークコネクションモジュール８１０は、アクセスポイントから、コネクションアドバタイズメントを受信するように構成されてもよい。ネットワークコネクションモジュール８１０は、さらに、アクセスポイントにより使用されるアップリンク／上りアクセス技術を示すインジケーションを受信するように構成される。オペレーティングモードモジュール８２０は、アクセスポイントによって使用されるアクセス技術にしたがって、ユーザ装置のオペレーションのモードを判定するように構成されてもよい。いくつかの実施形態によれば、コネクションアドバタイズメントは、第一のタイプのアクセス技術（例：ＷｉＦｉ）を介して受信されてもよく、アクセスポイントにより使用されるアップリンク／上りアクセス技術は第二のタイプアクセス技術（例：セルラー）であってもよい。いくつかの実施形態によれば、オペレーティングモードモジュール８２０は、アクセスポイントにより使用され、インジケートされたアップリンク／上りアクセス技術にしたがって、複数のオペレーティングモードのうちから選択するように構成されてもよく、各オペレーティングモードはそれぞれ異なるアクセス技術タイプに対応している。
【００７８】
本発明の実施形態は、マシーン可読媒体（コンピュータ可読プログラムコードを有して具現化されたコンピュータ可読媒体やプロセッサ可読媒体、コンピュータ使用可能媒体と呼ばれてもよい）に記憶されたソフトウエアプロダクトとして表現されてもよい。非一時的なマシーン可読媒体は、ディスケット、コンパクトディスクリードオンリーメモリ（ＣＤ−ＲＯＭ）、デジタルバーサタイルディスクリードオンリーメモリ（ＤＶＤ−ＲＯＭ）、メモリデバイス（揮発性もしくは不揮発性）を含む、磁気的、光学的、電気的、または、同様の記憶メカニズムの記憶媒体を含む、いずれかの適切な有形の媒体であってもよい。マシーン可読媒体は、インストラクション、コードシーケンス、コンフィギュレーション情報、または他のデータの様々なセットを有してもよく、これらが実行されると、プロセッサに、本発明の実施形態にしたがった方法におけるステップを実行させる。当業者であれば、記載された発明を実装するために必要となる他のインストラクションおよびオペレーションがマシーン可読媒体上に記憶されていてもよいことを理解するであろう。マシーン可読媒体から実行されたソフトウエアは記載されたタスクを実行するために回路とインターフェースしてもよい。
【００７９】
本発明の上述の実施形態は例示だけであることが意図されている。添付の特許請求の範囲によって定義された本発明の範囲から逸脱することなく、当業者によって代替物、変更およびバリエーションが成されてもよい。
【図１】
0006639530.tif 000002
【図２】
0006639530.tif 000003
【図３】
0006639530.tif 000004
【図４ａ】
0006639530.tif 000005
【図４ｂ】
0006639530.tif 000006
【図５】
0006639530.tif 000007
【図６】
0006639530.tif 000008
【図７】
0006639530.tif 000009
【図８】
0006639530.tif 000010